(57)【要約】【課題】電子制御ユニットに対するコネクタの接続の作業負担を軽減し、電子制御ユニットのユニット収納室内への装着作業を円滑化する。【解決手段】ユニット収納室２０を画成する側壁１７の一部には、ユニット収納室２０に収容される前の電子制御ユニット６３にコネクタを接続する際に該電子制御ユニット６３が載置される、電子制御ユニット６３がユニット収納室２０に収容される収容方向に向かって窪む仮置き溝２３が形成されている。【選択図】図６
2012253947.tif 000002
【特許請求の範囲】
【請求項１】
電子制御ユニットが収容されるユニット収納室が形成された収納箱であって、
前記ユニット収納室を画成する側壁の一部には、前記ユニット収納室に収容される前の前記電子制御ユニットにコネクタを接続する際に該電子制御ユニットが載置される、前記電子制御ユニットが該ユニット収納室に収容される収容方向に向かって窪む仮置き溝が形成されている、
ことを特徴とする収納箱。
【請求項２】
前記仮置き溝は、前記ユニット収納室の内側と外側を連通するように、前記ユニット収納室を画成する側壁に形成されている、
ことを特徴とする請求項１に記載の収納箱。
【請求項３】
前記電子制御ユニットには、前記仮置き溝に該電子制御ユニットを載置した際に該仮置き溝に当接する一側面を横断するようにずり落ち防止溝が穿設されている、
ことを特徴とする請求項２に記載の収納箱。
【請求項４】
前記電子制御ユニットには、前記ユニット収納室に収容される収容方向前方に位置する該電子制御ユニットの底面に、該電子制御ユニットを前記仮置き溝に載置した際に該仮置き溝の縁に引っ掛かるように一部が屈曲したずり落ち防止フックが設けられている、
ことを特徴とする請求項２に記載の収納箱。
【請求項５】
請求項１から４のいずれか一項に記載の収納箱が設けられたことを特徴とする電気接続箱。
【請求項６】
前記ユニット収納室を画成する側壁の一部は、該電気接続箱の外側壁の一部によって形成され、
前記仮置き溝は、前記電気接続箱の外側壁の一部に形成されている、
ことを特徴とする請求項５に記載の電気接続箱。
【請求項７】
電子制御ユニットが収容されるユニット収納室を画成する側壁の一部に形成された、前記電子制御ユニットが該ユニット収納室に収容される収容方向に向かって窪む仮置き溝に、前記電子制御ユニットを載置し、
前記電子制御ユニットにコネクタを接続し、
前記電子制御ユニットを前記ユニット収納室に収容する、
ことを特徴とする電子制御ユニットの収容方法。
【発明の詳細な説明】
【技術分野】
【０００１】
本発明は、自動車等に搭載されて、電子制御ユニットを収容するユニット収納室を備えた収納箱および電気接続箱、並びに電子制御ユニットの収容方法に関するものである。
【背景技術】
【０００２】
従来から、電子制御部品等を含む電子制御ユニットを収容したユニット収納室を持つタイプの電気接続箱が、提案されている（例えば、特許文献１参照）。この電気接続箱は、電気制御ユニットを収容するユニット収納室のほかに、その電子制御ユニットに接続される多数の電線（ハーネス）、コネクタの収納室を有し、これらをコンパクトに纏めて車室内に装着される。そして、この電子制御ユニットがユニット収納室に収容するタイミングとしては、電気メーカや電線配索業者によって電線やコネクタ等が予め配置された電気接続箱を用意しておき、その後、その電気接続箱のユニット収納室内に自動車メーカ等が後付けによって収容している。
【先行技術文献】
【特許文献】
【０００３】
【特許文献１】特開２００９−１００５３３号公報
【発明の概要】
【発明が解決しようとする課題】
【０００４】
上述した従来の電気接続箱は、解決すべき以下の問題を有している。
即ち、自動車メーカ等は用意した電子制御ユニットを、前記電気接続箱のユニット収納室に配索された電線およびコネクタに接続し、さらにこれをユニット収納室内に収めるという作業が極めて面倒である。例えば、作業者は、一方の手で電子制御ユニットを支え、この電子制御ユニットの複数の端子に対し、もう一方の手で複数本の電線端のコネクタを把持しながら接続する場合に、電子制御ユニットを支える手および電線を支える手が震えるなどして、その接続作業が円滑に行いにくく、作業負担が大きい。
【０００５】
本発明は、上述した事情に鑑みてなされたものであり、その目的は、電子制御ユニットに対するコネクタの接続の作業負担を軽減可能にし、以って電子制御ユニットのユニット収納室内への装着作業を容易かつ効率的に進めることができる収納箱および電気接続箱、並びに電子制御ユニットの収容方法を提供することにある。
【課題を解決するための手段】
【０００６】
前述した目的を達成するために、本発明に係る収納箱は、下記（１）〜（４）を特徴としている。
（１）  電子制御ユニットが収容されるユニット収納室が形成された収納箱であって、
前記ユニット収納室を画成する側壁の一部には、前記ユニット収納室に収容される前の前記電子制御ユニットにコネクタを接続する際に該電子制御ユニットが載置される、前記電子制御ユニットが該ユニット収納室に収容される収容方向に向かって窪む仮置き溝が形成されている、
こと。
（２）上記（１）の構成の収納箱であって、
前記仮置き溝は、前記ユニット収納室の内側と外側を連通するように、前記ユニット収納室を画成する側壁に形成されている、
こと。
（３）上記（２）の構成の収納箱であって、
前記電子制御ユニットには、前記仮置き溝に該電子制御ユニットを載置した際に該仮置き溝に当接する一側面を横断するようにずり落ち防止溝が穿設されている、
こと。
（４）上記（２）の構成の収納箱であって、
前記電子制御ユニットには、前記ユニット収納室に収容される収容方向前方に位置する該電子制御ユニットの底面に、該電子制御ユニットを前記仮置き溝に載置した際に該仮置き溝の縁に引っ掛かるように一部が屈曲したずり落ち防止フックが設けられている、
こと。
【０００７】
また、本発明に係る電気接続箱は、下記（５）および（６）を特徴としている。
（５）  上記（１）〜（４）のいずれか一つの構成の収納箱が設けられた、
こと。
（６）  上記（５）の構成の電気接続箱であって、
前記ユニット収納室を画成する側壁の一部は、該電気接続箱の外側壁の一部によって形成され、
前記仮置き溝は、前記電気接続箱の外側壁の一部に形成されている、
こと。
【０００８】
また、本発明に係る並びに電子制御ユニットの収容方法は、下記（７）を特徴としている。
（７）  電子制御ユニットが収容されるユニット収納室を画成する側壁の一部に形成された、前記電子制御ユニットが該ユニット収納室に収容される収容方向に向かって窪む仮置き溝に、前記電子制御ユニットを載置し、
前記電子制御ユニットにコネクタを接続し、
前記電子制御ユニットを前記ユニット収納室に収容する、
こと。
【０００９】
上記（１）の構成の収納箱によれば、電子制御ユニットを仮置きした状態でコネクタを電子制御ユニットに嵌め込むことができるので、その嵌め込みの作業負担が軽減される。
上記（２）の構成の収納箱によれば、前記ユニット収納室の内側と外側を横断するように電子制御ユニットを載置できるため、電子制御ユニットを載置する作業が簡単になる。
上記（３）の構成の収納箱によれば、仮置き溝に載置された状態の電子制御ユニットが該仮置き溝上を滑ることを防止することができる。
上記（４）の構成の収納箱によれば、仮置き溝に載置された状態の電子制御ユニットが該仮置き溝上を滑ることを防止することができる。
上記（５）の構成の電気接続箱によれば、電子制御ユニットを仮置きした状態でコネクタを電子制御ユニットに嵌め込むことができるので、その嵌め込みの作業負担が軽減される。
上記（６）の構成の電気接続箱によれば、前記電子制御ユニットを収納箱に仮置きする際、ユニット収納室周りの電気接続箱の形状がその仮置きを妨げることはない。
上記（７）の構成の電子制御ユニットの収容方法によれば、電子制御ユニットを仮置きした状態でコネクタを電子制御ユニットの嵌め込むことができるので、その嵌め込みの作業負担が軽減される。
【発明の効果】
【００１０】
本発明によれば、電子制御ユニットに対するコネクタの接続の作業負担を軽減でき、これにより電子制御ユニットのユニット収納室内への装着作業を円滑かつ迅速に進めることができる。
【００１１】
以上、本発明について簡潔に説明した。更に、以下に説明される発明を実施するための形態を添付の図面を参照して通読することにより、本発明の詳細は更に明確化されるであろう。
【図面の簡単な説明】
【００１２】
【図１】本発明の実施形態にかかる電気接続箱（第２のロアー部材を除く。）を示す斜視図である。
【図２】本発明の実施形態にかかる電気接続箱の分解斜視図である。
【図３】図１に示す電気接続箱を方向を変えて視た斜視図である。
【図４】図１に示す電気接続箱からアッパカバーを取り外した状態の斜視図である。
【図５】フレームの仮置き溝に対する電子制御ユニットの仮置き状態を示す斜視図である。
【図６】フレームの仮置き溝に対する電子制御ユニットの仮置き状態を方向を変えて視た斜視図である。
【図７】本発明の実施形態にかかる電気接続箱における電子制御ユニットの概略の一例を示す図であり、図７（ａ）は仮置き溝に当接する面を視た正面図であり、図７（ｂ）は側面図である。
【図８】フレームの仮置き溝に対する電子制御ユニットの仮置き状態を示す斜視図である。
【図９】本発明の実施形態にかかる電気接続箱における電子制御ユニットの概略の他例を示す図であり、図９（ａ）は仮置き溝に当接する面を視た正面図であり、図９（ｂ）は側面図である。
【図１０】フレームの仮置き溝に対する電子制御ユニットの仮置き状態を示す斜視図である。
【発明を実施するための形態】
【００１３】
以下、本発明の一実施形態にかかる収納箱および電気接続箱を、図１乃至図６を参照して説明する。本実施形態にかかる収納箱および電気接続箱は、電子制御ユニットが収容されるユニット収納室を有し、前記ユニット収納室を画成する側壁の一部には、前記電子制御ユニットが該ユニット収納室に収容される収容方向に向かって窪む仮置き溝が形成され、前記ユニット収納室に収容される前の前記電子制御ユニットにコネクタを接続する際、前記仮置き溝には、電子制御ユニットが載置可能な構成である。
【００１４】
本実施形態の電気接続箱Ａは、図１〜図３に示すように、収納箱であるフレーム１１と、第１のロアー部材１２と、第２のロアー部材１３と、ベース部材１４と、アッパカバー１５とを備えて構成される。これらのフレーム（収納箱）１１、第１のロアー部材１２、第２のロアー部材１３、ベース部材１４、アッパカバー１５は耐熱性、絶縁性、硬質の例えば合成樹脂を素材として、あるいは金属材料を併用して所定の形状、サイズに形成され、後述のような連結手段（係止部、被係止部）を用いて一体結合され、電気接続箱Ａが形成される。これらのうち、フレーム１１は、図４〜図６に示すように、全体として上下方向短めで環状体をなし、この環状体を構成する側壁１６、１７、１８、１９の外側面にはサイズや形状が同一または異なる複数個の被係止部１１ａが一体に設けられている。
【００１５】
ここで、側壁１６、１９は外方に向かって少し湾曲するような形態をなし、側壁１７は平らで、側壁１８は全体として大きくＬ字状に湾曲し、これらが環状に繋がっている。側壁１７は対向する側壁１９の高さに比べて、図４に示すように、下方に長めに垂下延設され、側壁１７との間に、ユニット収納室２０を画成する断面コ字状（または断面矩形状）の隔壁２１が側壁１７に連設されている。この隔壁２１はシールド効果がある金属板で構成することも可能である。また、前記環状体を構成する側壁１６、１８、１９の内側面には、サイズや形状が異なる複数の係止部１１ｂが一体に突設されている。
【００１６】
フレーム１１の側壁１６〜１９の内側面に設けられた係止部１１ｂおよび隔壁２１の外側面に設けられた係止部２１ａは、前記ベース部材１４の外側面に設けられた係止突起（被係止部）１４ａに係止されて、ベース部材１４をフレーム１１に保持する。また、フレーム１１の側壁１６〜１９の外側面に設けられた被係止部１１ａは、第１のロアー部材１２および第２のロアー部材１３に設けられた後述の各係止突起１２ａ、１３ａにそれぞれ係止されて、フレーム１１に第１のロアー部材１２および第２のロアー部材１３を保持する。
【００１７】
側壁１８の内側には、フレーム１１内に収納される電線に接続されたコネクタを装着するためのコネクタ収納枠２７、２８が設けられている。
【００１８】
前記第１のロアー部材１２は、図１〜図３に示すように、底部がＶ字状に凹んだ形状の有底型容器をなし、ヘの字状に曲がった側壁および平らな側壁を持つ。平らな側壁の所定位置には、前記係止突起１２ａが一体に設けられている。この係止突起１２ａは前記フレーム１１上の複数の被係止部１１ａに対応する部位に設けられ、フレーム１１と第１のロアー部材１２との結合時に相互に嵌合される。
【００１９】
さらに、平らな側壁には大小２つの被係止部が一体に設けられている。
【００２０】
平らな側壁に設けられた被係止部は第２のロアー部材１３の側方開放端の下部に、図２および図３に示すように突設された係止突起１３ｂに対応する部位に設けられ、第１のロアー部材１２に第２のロアー部材１３を連結する際に、第１のロアー部材１２の各被係止部に、第２のロアー部材１３に突設された係止突起１３ｂが嵌合接続される。
【００２１】
このように本実施形態では、ロアー部材を第１のロアー部材１２と第２のロアー部材１３とに２分割して、第１のロアー部材１２はフレーム１１内のユニット収納室２０内に通じて、このユニット収納室２０を除くフレーム１１内および第２のロアー部材１３内に対して遮断した空間を形成している。これにより、ユニット収納室２０の内部を外部から熱的に遮蔽または分離でき、さらに防水性、強度を高めることができる。この結果、このユニット収納室２０内に収容される電子制御ユニットの動作の安定性、信頼性を確保することができる。
【００２２】
第２のロアー部材１３は第１のロアー部材１２との結合方向および上方が開放された有底型の容器であり、側壁と、この側壁とともに平面視で略Ｌ字状をなす側壁と、開口と、円弧状の側壁と、底部とを有する。ここで、各係止突起１３ｂはこれに隣接配置される第１のロアー部材１２の被係止部に係止可能であり、係止突起１３ａはフレーム１１の外側面にある前記被係止部１１ａに係止可能になっている。
【００２３】
前記ベース部材１４は多数のコネクタ、ヒューズ、リレーなど、主に電気部品を装着した板状のブロック体であり、このブロック体の外側面には、前述のような複数個の被係止部１４ａが一体に設けられている。このベース部材１４はユニット収納室２０を除くフレーム１１内に収納可能なサイズおよび形状をなし、このベース部材１４の前記被係止部１４ａがフレーム１１内面の前記係止部１１ｂに嵌合可能になっている。なお、ブロック体前面に位置する被係止部１４ａは前記隔壁２１の係止部２１ａに係止可能となっている。
【００２４】
また、アッパカバー１５は、フレーム１１の上部開口を覆うように構成されている。このアッパカバー１５は、天部４２と、この天部４２の周囲に連設された側壁４３〜４６とを備える。これらのうち天部４２および側壁４４は略平らに形成されているが、側壁４３〜４６は平面視で前記フレーム１１の側壁１６〜１９に略合致する形状およびサイズに形成されている。側壁４５は全体として平面視で略Ｌ字状をなし、側壁４３、４４、４６とともに環状に繋がっている。
【００２５】
側壁４３および側壁４５の一部には外方に突出するように各一の係止突起１５ａが設けられている。これらの係止突起１５ａは前記フレーム１１の側壁１６および側壁１８に設けられた各一の被係止部１１ａの対応位置に設けられている。従って、フレーム１１の上部にアッパカバー１５を被せたとき、係止突起１５ａが被係止部１１ａに対し係合可能になる。
【００２６】
また、側壁４４およびこの側壁４４が側壁４５に連続する部分の下部に、延長壁４８が垂下延設されている。この延長壁４８は、フレーム１１にアッパカバー１５を被せたとき、フレーム１１の仮置き溝２３付近を外方から覆うように機能する。
【００２７】
かかる構成のフレーム１１、第１のロアー部材１２、第２のロアー部材１３、ベース部材１４、アッパカバー１５は、次のようにして組み付けられる。まず、フレーム１１の下部に第１のロアー部材１２を配置してフレーム１１の側壁１６、１７および隔壁２１の下端縁を、第１のロアー部材１２に支承させる。そして、第１のロアー部材１２の外側面に設けられた係止突起１２ａをフレーム１１下部の被係止部１１ａに挿し込む。
【００２８】
続いて、第２のロアー部材１３の開放部側を第１のロアー部材１２の平らな側壁側に対向させるとともに、その開放部側の大小２つの係止突起１３ｂを第１のロアー部材１２の被係止部内にこれらの下方から差し込む。また、これらの係止突起１３ｂの係合操作に前後して、第２のロアー部材１３の外側面にある各係止突起１３ａをこれに対向する位置にあるフレーム１１の外側面にある被係止部１１ａに下方から挿し込んで係止する。これによりフレーム１１、第１のロアー部材１２および第２のロアー部材１３が連結される。
【００２９】
次に、フレーム１１内の上部に上方からベース部材１４が挿入する。このときベース部材１４の外側面に設けられた係止突起（被係止部）１４ａをフレーム１１の内周面に設けられた係止部１１ｂに係止する。これによりベース部材１４はフレーム１１内の上部に安定保持される。そして、このベース部材１４を収容したフレーム１１上にアッパカバー１５を被せる。なお、このベース部材１４下部のフレーム１１内には、そのベース部材１４に装着されたリレーやヒューズに接続される多数本の電線が配置される。このときアッパカバー１５の各一の係止突起１５ａが、これらに対応する位置に臨むフレーム１１の外周面にある各一の被係止部１１ａに係止される。これにより、アッパカバー１５はフレーム１１にガタツキなく装着され、最終的に図１に示すような電気接続箱Ａが形成される。
【００３０】
この場合において、フレーム１１内に隔壁２１によって画成されるユニット収納室２０内は、これの下部において、第１のロアー部材１２にフレーム１１の側壁１６、１７の一部の下端縁が密接することで塞がれ、上部においてはアッパカバー１５の側壁４３、４４の一部の下端縁がフレーム１１における側壁の一部の上端縁に密接させることで塞がれる。
【００３１】
ところで、前記電子制御ユニット６３の各端子に対する各コネクタの接続（嵌合）操作は、例えば一方の手で電子制御ユニット６３を支え、もう一方の手で、重力によってユニット収納室２０内への引き込み力が作用している電線端のコネクタを強く掴んで行う必要があり、この接続作業が面倒である。
【００３２】
本実施形態では、フレーム１１の開口部に臨む前記側壁１７の仮置き溝２３に、図５および図６に示すように、電子制御ユニット６３を端子６１が斜め上方に向くように、またユニット収納室２０の内側と外側に横断するように、係止させる。この場合に仮置き溝２３の水平方向の幅寸法を電子制御ユニット６３の横幅寸法に一致させることで、電子制御ユニット６３は仮置き溝２３上でほぼ緊密に保持させることができる。尚、ユニット収納室２０を画成する隔壁２１が前述のように矩形状をなす場合には、この隔壁２１にも仮置き溝を形成することができる。また、フレーム１１の側壁１７の一部がユニット収納室２０を形成している場合には、この側壁１７に仮置き溝を形成することができる。
【００３３】
電子制御ユニットの前記保持状態にあっては、この電子制御ユニット６３を支える手が空くか、あるいはその手を軽く電子制御ユニットに添えるだけで、ユニット収納室２０の底部付近にある電線およびコネクタをユニット収納室２０の開口部に引き上げながら、電子制御ユニット６３の前記端子に容易に嵌合することができる。このように電子制御ユニット６３に対する全ての電線の接続作業を終了した後は、コネクタが接続された前記端子６１側を下方に向けた状態で電子制御ユニット６３をユニット収納室２０内に収納する。これにより、自動車メーカによる電子制御ユニット６３のユニット収納室内への収納作業が効率化する。
【００３４】
さらに、側壁４４およびこの側壁４４が側壁４５に連続する部分に延長壁４８が垂下延設されているため、フレーム１１にアッパカバー１５を前述のように装着したとき、フレーム１１の仮置き溝２３を含む領域を外から覆う。これにより、仮置き溝２３を通じてユニット収納室２０内に外気、湿気、塵埃等が侵入するのを抑えることができる。
【００３５】
以上のように、本実施形態では、電子制御ユニット６３が収容されるユニット収納室２０を有する収納箱Ａにおいて、ユニット収納室２０を画成する側壁１７の一部に、電子制御ユニット６３が該ユニット収納室２０に収容される収容方向に向かって窪む仮置き溝２３が形成され、ユニット収納室２０に収容される前の前記電子制御ユニット６３にコネクタを接続する際、前記仮置き溝２３には、該電子制御ユニット６３が載置されるような構成としたことで、電子制御ユニット６３を仮置きした状態でコネクタを電子制御ユニット６３の端子に嵌め込むことができるので、その作業負担が軽減される。
【００３６】
この場合において、仮置き溝２３が、ユニット収納室２０の内側と外側を連通するように、ユニット収納室２０を画成する側壁１７に形成されることで、ユニット収納室２０の内側と外側を横断するように電子制御ユニット６３を載置でき、電子制御ユニット６３を載置する作業が簡単になる。また、ユニット収納室２０を画成する側壁１７の一部は、電気接続箱Ａの外側壁の一部によって形成され、仮置き溝２３が電気接続箱Ａの外側壁の一部に形成されていることで、電子制御ユニット６３を仮置きする際、ユニット収納室２０周りの電気接続箱Ａの形状がその仮置きを妨げることはない。
【００３７】
ところで、上述した実施形態の電気接続箱Ａによれば、仮置き溝２３に電子制御ユニット６３が載置されるような構成としたことで、電子制御ユニット６３を仮置きした状態でコネクタを電子制御ユニット６３の端子に嵌め込むことができるので、その作業負担が軽減される。しかし、仮置き溝２３に載置された状態の電子制御ユニット６３が該仮置き溝２３上を滑り、該仮置き溝２３上をスライドしてしまうことが危惧される。このような状況では、コネクタを電子制御ユニット６３の端子に嵌め込む作業者は、絶えず、電子制御ユニット６３を把持していなければならない。そこで、以下に説明する実施形態では、仮置き溝２３に載置された状態の電子制御ユニット６３が該仮置き溝２３上を滑ることを防止することができる構造について説明する。図７は、本発明の実施形態にかかる電気接続箱における電子制御ユニットの概略の一例を示す図であり、図７（ａ）は仮置き溝に当接する面を視た正面図であり、図７（ｂ）は側面図である。図８は、フレームの仮置き溝に対する電子制御ユニットの仮置き状態を示す斜視図である。図９は、本発明の実施形態にかかる電気接続箱における電子制御ユニットの概略の他例を示す図であり、図９（ａ）は仮置き溝に当接する面を視た正面図であり、図９（ｂ）は側面図である。図１０は、フレームの仮置き溝に対する電子制御ユニットの仮置き状態を示す斜視図である。
【００３８】
まず、本発明の実施形態にかかる電気接続箱における電子制御ユニットの一例を、図７（ａ）、図７（ｂ）及び図８を参照して説明する。本実施形態の電子制御ユニット６３は、仮置き溝２３に電子制御ユニット６３を載置した際に該仮置き溝２３に当接する電子制御ユニット６３の一側面に、ずり落ち防止溝６４が穿たれている。ずり落ち防止溝６４は、仮置き溝２３に当接する電子制御ユニット６３の一側面を横断するように、電子制御ユニット６３がユニット収納室２０に収容される収容方向に直交する方向に穿設されている。ずり落ち防止溝６４が形成された電子制御ユニット６３によれば、図８に示すように、コネクタを電子制御ユニット６３の端子に嵌め込む作業中、ずり落ち防止溝６４に仮置き溝２３の縁を進入させることによって、仮置き溝２３に載置された状態の電子制御ユニット６３が該仮置き溝２３上を滑ることを防止することができる。
【００３９】
また、本発明の実施形態にかかる電気接続箱における電子制御ユニットの他例を図９（ａ）、図９（ｂ）及び図１０を参照して説明する。本実施形態の電子制御ユニット６３は、ユニット収納室２０に収容される収容方向前方に位置する該電子制御ユニット６３の底面にずり落ち防止フック６５が設けられている。ずり落ち防止フック６５は、電子制御ユニット６３の底面から離れる方向に延設されており、電子制御ユニット６３を仮置き溝２３に載置した際に仮置き溝２３の縁に引っ掛かるようにその一部が屈曲している。ずり落ち防止フック６５が形成された電子制御ユニット６３によれば、コネクタを電子制御ユニット６３の端子に嵌め込む作業中、ずり落ち防止フック６５の屈曲した一部に仮置き溝２３の縁を進入させることによって、仮置き溝２３に載置された状態の電子制御ユニット６３が該仮置き溝２３上を滑ることを防止することができる。
【００４０】
また、図９（ａ）、図９（ｂ）に示すように、ずり落ち防止フック６５は、底面の方向から電子制御ユニット６３を視た際、底面の縁によって囲まれる範囲の内側に納まっている。このようにずり落ち防止フック６５を延設させることによって、電子制御ユニット６３をユニット収納室２０に収容する際、ずり落ち防止フック６５がユニット収納室２０を画成する壁面に接触してその収容を妨げることが防止することができる。
【符号の説明】
【００４１】
Ａ  電気接続箱
１１  フレーム（収納箱）
１１ａ  被係止部
１１ｂ  係止部
１２  第１のロアー部材
１２ａ  係止突起
１３  第２のロアー部材
１３ａ  係止突起
１３ｂ  係止突起
１４  ベース部材
１４ａ  係止突起（被係止部）
１５  アッパカバー
１５ａ  係止突起
１６、１７、１８、１９  側壁
２０  ユニット収納室
２１  隔壁
２１ａ  係止部
２３  仮置き溝
２７、２８  コネクタ収納枠
４２  天部
４３、４４、４５、４６  側壁
４８  延長壁
６１  端子
６３  電子制御ユニット
６４  ずり落ち防止溝
６５  ずり落ち防止フック
【図１】
2012253947.tif 000003
【図２】
2012253947.tif 000004
【図３】
2012253947.tif 000005
【図４】
2012253947.tif 000006
【図５】
2012253947.tif 000007
【図６】
2012253947.tif 000008
【図７】
2012253947.tif 000009
【図８】
2012253947.tif 000010
【図９】
2012253947.tif 000011
【図１０】
2012253947.tif 000012